(57)【要約】【課題】飛来物や浮遊物から放熱器を保護することができる投光照明装置を提供する。【解決手段】本発明の一実施形態に係る投光照明装置１００は、筐体１０と、光学ユニット２０と、放熱器５と、ガード部材７とを具備する。筐体１０は、第１の面１１１と、第２の面１１２とを有する。光学ユニット２０は、第１の面１１１に配置され、複数の発光素子を有する。放熱器５は、第２の面１１２に配置される。ガード部材７は、放熱器５を収容する内部空間と、上記内部空間を外気と連通させる通孔とを有し、第２の面１１２に配置される。【選択図】図６
2015144041.tif 000002
【特許請求の範囲】
【請求項１】
第１の面と、第２の面とを有する筐体と、
前記第１の面に配置され、複数の発光素子を有する光学ユニットと、
前記第２の面に配置された放熱器と、
前記放熱器を収容する内部空間と、前記内部空間を外気と連通させる通孔とを有する、前記第２の面に配置されたガード部材と
を具備する投光照明装置。
【請求項２】
請求項１に記載の投光照明装置であって、
前記光学ユニットへ電力を供給するように構成された端子ユニットをさらに具備し、
前記ガード部材は、前記第２の面と前記端子ユニットとの間に配置される
投光照明装置。
【請求項３】
請求項２に記載の投光照明装置であって、
前記ガード部材は、前記筐体に固定される側周面と、前記側周面に連設され前記端子ユニットに対向する背面をさらに有し、
前記端子ユニットは、前記内部空間および前記背面を貫通し前記第２の面と接続される連結パイプをさらに有する
投光照明装置。
【請求項４】
請求項３に記載の投光照明装置であって、
前記筐体は、前記連結パイプの内部と連通する貫通孔をさらに有し、
前記光学ユニットは、前記貫通孔および前記連結パイプを介して前記端子ユニットに接続される配線ケーブルをさらに有する
投光照明装置。
【請求項５】
請求項１から４のいずれか１項に記載の投光照明装置であって、
前記ガード部材は、パンチメタルで構成される
投光照明装置。
【請求項６】
請求項１〜５のいずれか１項に記載の投光照明装置であって、
前記光学ユニットは、複数の発光デバイスの集合体で構成され、
前記複数の発光デバイスは、
前記第１の面内に配置された複数の発光素子と、
前記複数の発光素子各々と対向する頂部と、光出射面と、前記頂部と前記光出射面との間に設けられ前記頂部の軸心まわりの回転体形状を有する側周面とをそれぞれ含む複数のレンズ部を有し、透光性材料の成形体で構成されたレンズ基板と
をそれぞれ有する
投光照明装置。
【請求項７】
請求項６に記載の投光照明装置であって、
前記光学ユニットは、前記複数の発光デバイスによって、前記第１の面内において周方向に等分割され、
前記複数の発光デバイスは、それぞれ多角形状を有する
投光照明装置。
【請求項８】
請求項１から７のいずれか１項に記載の投光照明装置であって、
前記筐体および前記ガード部材は、それぞれ多角形状を有する
投光照明装置。
【請求項９】
請求項１から８のいずれか１項に記載の投光照明装置であって、
前記複数の発光素子は、複数のＬＥＤを含む
投光照明装置。
【発明の詳細な説明】
【技術分野】
【０００１】
本発明は、例えば照明塔に設置される投光照明装置に関する。
【背景技術】
【０００２】
例えば、野球場、サッカー場、陸上競技場等の照明には、複数台の投光器で構成された照明塔が用いられている。投光器の光源には、メタルハライドランプ等の放電ランプが広く用いられているが、近年、発光ダイオード（ＬＥＤ：Light Emitting Diode）を光源に用いた照明装置が知られている。例えば特許文献１には、筐体と、筐体の前面に配置された複数の発光素子（ＬＥＤ）と、筐体の背面に設けられた板状の放熱フィンとを備えた照明装置が開示されている。
【先行技術文献】
【特許文献】
【０００３】
【特許文献１】特開２０１３−２４３０３３公報
【発明の概要】
【発明が解決しようとする課題】
【０００４】
投光器は、光源からの発熱から機器を保護するための放熱器を備える。しかしながら照明塔等の屋外あるいは高所に設置される投光器においては、飛来物や浮遊物との接触による放熱器の損傷が問題となる。例えば、屋外に設置される照明塔においては、強風時、飛来物との衝突により放熱器が損傷するおそれがある。また野球場等の照明塔においては、イベントなどで使用された風船が放熱器との接触により溶解し、その溶解物が放熱部の表面に付着したまま残存することで、所期の放熱特性が得られなくなるおそれがある。
【０００５】
以上のような事情に鑑み、本発明の目的は、飛来物や浮遊物から放熱器を保護することができる投光照明装置を提供することにある。
【課題を解決するための手段】
【０００６】
上記目的を達成するため、本発明の一形態に係る投光照明装置は、筐体と、光学ユニットと、放熱器と、ガード部材とを具備する。
上記筐体は、第１の面と、第２の面とを有する。
上記光学ユニットは、前記第１の面に配置され、複数の発光素子を有する。
上記放熱器は、上記第２の面に配置される。
上記ガード部材は、上記放熱器を収容する内部空間と、上記内部空間を外気と連通させる通孔とを有し、上記第２の面に配置される。
【０００７】
上記投光照明装置において、放熱器は、ガード部材の内部に配置されているため、飛来物や浮遊物との衝突あるいは接触から効果的に保護される。また、ガード部材には通孔が設けられているため、当該通孔を介して放熱器を外気と連通させることができる。したがって上記投光照明装置によれば、所期の放熱特性を長期にわたり維持でき、光学ユニットの安定した発光動作を確保することができる。
【０００８】
上記投光照明装置は、端子ユニットをさらに具備してもよい。上記端子ユニットは、上記光学ユニットへ電力を供給するように構成される。上記ガード部材は、上記第２の面と上記端子ユニットとの間に配置されてもよい。
これにより、端子ユニットと商用電源との接続がガード部材で阻害されることを防止することができる。
【０００９】
上記ガード部材は、上記筐体に固定される側周面と、上記側周面に連設され前記端子ユニットに対向する背面をさらに有してもよい。上記端子ユニットは、上記内部空間および上記背面を貫通し上記第２の面と接続される連結パイプをさらに有してもよい。
この構成によれば、ガード部材の背面に連結パイプが貫通しているため、ガード部材が筐体から外れた場合においても、当該連結パイプによって筐体からのガード部材の脱落が阻止される。
【００１０】
上記筐体は、上記連結パイプの内部と連通する貫通孔をさらに有してもよい。上記光学ユニットは、上記貫通孔および上記連結パイプを介して上記端子ユニットに接続される配線ケーブルをさらに有してもよい。
これにより光学ユニットの配光特性を損なうことなく、各発光素子と端子ユニットとの電気的接続を実現することができる。
【００１１】
上記ガード部材は、通孔を有する構造体であれば特に限定されず、例えば、パンチメタルで構成される。これにより、ガード部材として要求される必要な強度が確保される。
【００１２】
上記光学ユニットは、複数の発光デバイスの集合体で構成されてもよい。上記複数の発光デバイスは、例えば、複数の発光素子と、レンズ基板とをそれぞれ有する。
上記複数の発光素子は、上記第１の面内に配置される。
上記レンズ基板は、頂部と、光出射面と、側周面とをそれぞれ含む複数のレンズ部を有する。上記頂部は、上記複数のＬＥＤ各々と対向する。上記側周面は、上記頂部と上記光出射面との間に設けられ、上記頂部の軸心まわりの回転体形状を有する。上記レンズ基板は、透光性材料の成形体で構成される。
【００１３】
上記光学ユニットは、上記複数の発光デバイスによって、上記第１の面内において周方向に等分割されてもよい。この場合、上記複数の発光デバイスは、それぞれ多角形状を有する。
これにより複数の発光デバイスを効率よく集積化することが可能となる。
【００１４】
上記筐体および上記ガード部材は、それぞれ多角形状を有してもよい。
これにより当該投光照明装置を複数個、上下左右方向に効率よく配列することが可能となる。
【００１５】
上記複数の発光素子は、典型的には、複数のＬＥＤで構成される。これ以外にも、有機ＥＬ素子や無機ＥＬ素子等で上記発光素子が構成されてもよい。
【発明の効果】
【００１６】
以上、本発明によれば、飛来物や浮遊物から放熱器を保護することができ、所期の放熱特性を長期にわたって維持することができる。
【図面の簡単な説明】
【００１７】
【図１】本発明の一実施形態に係る投光照明装置の全体を示す斜視図である。
【図２】上記投光照明装置の正面図である。
【図３】上記投光照明装置の側面図である。
【図４】上記投光照明装置の上面図である。
【図５】上記投光照明装置の背面図である。
【図６】上記投光照明装置の要部の分解斜視図である。
【図７】図２におけるＡ−Ａ線断面図である。
【図８】上記投光照明装置における光学ユニットの平面図である。
【図９】上記光学ユニットにおける発光デバイスの分解斜視図である。
【図１０】上記発光デバイスにおけるレンズ基板を示す図であり、Ａは正面図、Ｂは一方向から見た側面図、Ｃは他の方向から見た側面図である。
【図１１】上記レンズ基板におけるレンズ部を示す図であり、Ａは概略斜視図、Ｂは概略断面図、Ｃはレンズ部を透過する光線追跡図である。
【図１２】上記投光照明装置におけるガード部材の構成を示す図であり、Ａは斜視図、Ｂは背面図である。
【発明を実施するための形態】
【００１８】
以下、図面を参照しながら、本発明の実施形態を説明する。
【００１９】
図１〜図５は、本発明の一実施形態に係る投光照明装置の全体を示しており、図１は斜視図、図２は正面図、図３は右側面図、図４は上面図、図５は背面図である。また、図６は上記投光照明装置の要部の分解斜視図、図７は、図２におけるＡ−Ａ線断面図である。各図においてＸ軸、Ｙ軸およびＺ軸は相互に直交する３軸方向を示し、Ｘ軸は左右方向、Ｙ軸は前後方向、Ｚ軸は高さ方向にそれぞれ対応する。
【００２０】
［投光照明装置の全体構成］
本実施形態の投光照明装置１００は、筐体１０と、光学ユニット２０と、放熱器５と、端子ユニット６と、ガード部材７と、ベース９とを有する。
【００２１】
（筐体）
筐体１０は、金属材料で構成され、主板部１１と、一対の突出片部１２とを有する。
【００２２】
主板部１１は、正面側の第１の面１１１と、背面側の第２の面１１２とを有し、全体として多角形状（本実施形態では六角形状）に形成される。一対の突出片部１２は、主板部１１においてＸ軸方向に対向する２つの辺部の周縁から背面側に向かってそれぞれ形成される。一対の突出片部１２は、筐体１０とベース９とを相互に接続する接続部として構成される。
【００２３】
（ベース）
ベース９は、筐体１０を照明塔あるいは照明台に設置するための固定部として構成される。ベース９は、筐体１０の一対の突出片部１２に連結される一対の脚部９１を有する。
【００２４】
各々の脚部９１は、突出片部１２に対してＸ軸まわりに回動可能に連結される。筐体１０の回動操作は、各々の脚部９１に設けられたレバー９２を用いて行われる。回動範囲は特に限定されず、本実施形態では、水平方向に対して仰角６０°および俯角８０°の範囲で調整可能に構成される。またベース９は、照明塔あるいは照明台に対してＺ軸まわりの回動調整も可能に構成される。
【００２５】
ベース９には、図４に示すように、照明塔あるいは照明台に対する固定軸が挿通される取付孔９３が設けられている。ベース９は、上記固定軸を中心としてＺ軸まわりに所定角度範囲にわたって回動可能に構成される。回動範囲は特に限定されず、本実施形態では左右各々９０°の範囲で調整可能に構成される。取付孔９３のまわりにはベース９の回動範囲を規制する円弧状のガイド孔９４が設けられている。
【００２６】
（光学ユニット）
図８は、光学ユニット２０の平面図である。光学ユニット２０は、筐体１０の第１の面１１１に配置された複数の発光デバイス２１の集合体で構成される。
【００２７】
光学ユニット２０は、筐体１０の第１の面１１１上に環状に並べられた複数（本実施形態では６個）の発光デバイス２１によって周方向に等分割される。各々の発光デバイス２１は多角形状（本実施形態では概略三角形状）に形成され、各々が環状に配列されることで多角形状（本実施形態では概略六角形状）の光学ユニット２０を構成する。これにより複数の発光デバイス２１を効率よく集積化することが可能となる。
【００２８】
複数の発光デバイス２１は、それぞれ同一の構成を有する。発光デバイス２１は、複数のＬＥＤを搭載したＬＥＤ基板２２と、複数のＬＥＤから出射した光を集光する複数のレンズ部を有するレンズ基板２３との積層構造を有する。
【００２９】
光学ユニット２０は、筐体１０の第１の面１１１に設置された透明なカバー１によって被覆される。カバー１は、シールリング２を介して筐体１０の第１の面１１１に複数のボルトを介して固定される。
【００３０】
図９は、発光デバイス２１の構成を示す分解斜視図、図１０Ａはレンズ基板２３の正面図、図１０Ｂはレンズ基板２３の一方向から見た側面図、図１０Ｃはレンズ基板２３の他の方向から見た側面図である。
【００３１】
発光デバイス２１は、ＬＥＤ基板２２と、レンズ基板２３と、放熱シート２４とを有する。発光デバイス２１は、筐体１０の第１の面１１１上に、放熱シート２４、ＬＥＤ基板２２およびレンズ基板２３を順に積層することで構成される。ＬＥＤ基板２２、レンズ基板２３および放熱シート２４は、正面方向（Ｙ軸方向）から見たときの形状がいずれも同等の大きさの略三角形状に形成されている。
【００３２】
ＬＥＤ基板２２は、複数のＬＥＤ２２１（発光素子）と、複数のＬＥＤ２２１を支持する配線基板２２２とを有する。
【００３３】
複数のＬＥＤ２２１は、典型的には、ＬＥＤランプやＬＥＤチップで構成され、本実施形態では、光出射部がドーム状（凸状）のレンズ部で被覆されたＬＥＤチップで構成される。複数のＬＥＤ２２１は、各々の発光面を正面方向（＋Ｙ方向）に向けて配線基板２２２上に所定の間隔をあけて実装されている。
【００３４】
配線基板２２２は、金属、セラミックあるいは合成樹脂を基材とした単層あるいは多層の配線基板で構成される。配線基板２２２の各隅部および面内の所定位置には、レンズ基板２３および放熱シート２４を相互に固定するためのネジ部材が貫通する貫通孔２２３が設けられている。また配線基板２２２の１つの頂部には、各々のＬＥＤ２２１へ電力を供給するための配線ケーブルと接続されるコネクタ２２４が実装されている。
【００３５】
レンズ基板２３は、ＬＥＤ基板２２上の複数のＬＥＤ２２１各々に対向して配置された複数のレンズ部２３１を有し、透光性樹脂材料の成形体で構成される。
【００３６】
レンズ基板２３は、ＸＺ平面に平行な略三角形状の主板部２３２と、主板部２３２の各辺縁部からＬＥＤ基板２２に向かって垂下する側壁部２３３と、側壁部２３３に連設されたＸＺ平面に平行な３つのコーナ部２３４とを有する略浅皿形状に形成される。
【００３７】
複数のレンズ部２３１は、主板部２３２の面内にＬＥＤ２２１に対応して配列され、主板部２３２からＬＥＤ基板２２に向かって突出する砲弾形状に形成される。レンズ部２３１の表面は外気（空気）と接触している。
【００３８】
図１１Ａはレンズ部２３１の概略斜視図、図１１Ｂはレンズ部２３１の概略断面図、図１１Ｃはレンズ部２３１を透過する光線の追跡図である。
【００３９】
複数のレンズ部２３１は、頂部２３１ａと、光出射面２３１ｂと、側周面２３１ｃとをそれぞれ有する。頂部２３１ａは、複数のＬＥＤ２２１各々と対向する。光出射面２３１ｂは、主板部２３２の表面と面一に形成され、頂部２３１ａを通る軸心２３１ｙ方向に沿った有底孔２３１ｄを有する。側周面２３１ｃは、頂部２３１ａと光出射面２３１ｂとの間に設けられ、上記軸心まわりの回転体形状を有する。
【００４０】
レンズ部２３１の頂部２３１ａに対向するＬＥＤ２２１は、図１１Ｃに示すように頂部２３１ａに向かって凸なる形状の発光面２２１ｐを有する。発光面２２１ｐは、例えば、ＬＥＤ２２１の発光部に形成されたレンズ面で構成される。一方、頂部２３１ａは、発光面２２１ｐに対向し発光面２２１ｐに対応する形状の凹面部Ｐ１を有する。これにより、ＬＥＤ２２１からレンズ部２３１への光の取り込み効率が高まり、光出射面２３１ｂからの出射光量を高めることが可能となる。
【００４１】
有底孔２３１ｄは、光出射面２３１ｂから頂部２３１ａに向かって所定の深さで形成された丸孔で構成される。本実施形態では、有底孔２３１ｄの底部に光出射面２３１ｂ側に凸なる形状の凸面部Ｐ２が設けられている。有底孔２３１ｄの底部に凸面部Ｐ２が設けられることで、有底孔２３１ｄの底部に入射する光の集光作用が得られる。これにより、正面方向（＋Ｙ方向）の出射光量が高まるため、例えば狭角用の投光照明装置を構成することができる。
【００４２】
また、有底孔２３１ｄが頂部２３１ａを通るレンズ部２３１の軸心に沿って形成されているため、頂部２３１ａから入射する光の集光作用を阻害することなく、光出射面２３１ｂから光を出射することができる。
【００４３】
側周面２３１ｃの形状は、特に限定されず、目的とする出射光の照射範囲に応じて適宜設定可能である。本実施形態では、側周面２３１ｃは、軸心２３１ｙを中心とする回転曲線からなる曲面体形状（典型的には、放物面等の二次曲面）を有する。この構成により、例えば、ビームの開きが３０°未満の狭角配光照明に適用可能となる。
【００４４】
レンズ基板２３はさらに、ＬＥＤ基板２２に固定される複数のボス部２３５を有する。ボス部２３５は、コーナ部２３４と、主板部２３２の中央部にそれぞれ設けられており、各々のボス部２３５にはＬＥＤ基板２２上の貫通孔２２３に整列するネジ挿通孔２３５ａがそれぞれ形成されている。
【００４５】
各々のボス部２３５は、レンズ部２３１の頂部２３１ａよりもＬＥＤ基板２２に向かって突出している。これにより、ＬＥＤ基板２２へのレンズ基板２３の固定時に、複数のレンズ部２３１各々の頂部２３１ａは、ＬＥＤ基板２２との間に所定の間隙を介して対向する。このときＬＥＤ２２１は、図１１Ｃに示すように、発光面２２１ｐが頂部２３１ａの凹面部Ｐ１に隙間をあけて対向するように、凹面部Ｐ１に収容される。
【００４６】
コーナ部２３４にはさらに、ボス部２３５の近傍に設けられた位置決めピン２３６がそれぞれ設けられている。位置決めピン２３６は、ボス部２３５よりも大きな突出量でコーナ部２３４からＬＥＤ基板２２に向かって突出し、ＬＥＤ基板２２上の位置決め孔２２５にそれぞれ嵌合可能に構成される。
【００４７】
以上のような構成を有するレンズ基板２３は、透光性樹脂材料の射出成形体で構成される。レンズ基板２３を構成する透光性樹脂材料は特に限定されず、本実施形態ではアクリル樹脂で構成される。これにより機械的強度が高く、耐候性に優れたレンズ基板を構成することができる。
【００４８】
放熱シート２４は、所定厚みの樹脂等で構成されており、ＬＥＤ基板２２と筐体１０の第１の面１１１との間に配置される。放熱シート２４には、ＬＥＤ基板２２の貫通孔２２３およびレンズ基板２３のネジ挿通孔２３５ａに各々整列するネジ孔２４１と、ＬＥＤ基板２２の位置決め孔２２５と整列しレンズ基板２３の位置決めピン２３６が嵌合する嵌合孔２４２とがそれぞれ形成されている。放熱シート２４は、ＬＥＤ基板２２およびレンズ基板２３と積層された状態で、筐体１０の第１の面１１１に複数のネジを介して固定される。
【００４９】
（放熱器）
放熱器５は、筐体１０の第２の面１１２に配置される。放熱器５は、光学ユニット２０を所定温度以下に冷却するためのもので、本実施形態ではヒートパイプ方式のヒートシンクが採用される。これにより放熱器５の小型化を図ることができる。なお勿論これに限られず、放熱器５は、他の構造のヒートシンクで構成されてもよく、例えば放熱フィンのみの構造体であってもよい。
【００５０】
（ガード部材）
ガード部材７は、放熱器５の周囲に配置されることで、飛来物の衝突あるいは浮遊物の接触から放熱器５を保護する。図１２Ａはガード部材７の全体斜視図、図１２Ｂはガード部材の背面図である。
【００５１】
ガード部材７は、放熱器５を収容する内部空間７１を有する、一端が開口された金属製の箱体で構成される。ガード部材７は、側周面７２と、側周面７２に連設され端子ユニット６に対向する背面（天板）７３とを有する。側周面７２および背面７３には、内部空間７１を外気と連通させる複数の通孔７４がそれぞれ設けられている。
【００５２】
ガード部材７の背面７３は多角形状（本実施形態では六角形状）に形成され、側周面７２は、背面７３の各々の辺縁部から正面方向に直角に折り曲げられた同一高さの複数の平面状の板材で構成される。側周面７２を構成する上記複数の板材同士は例えば溶接により相互に接合されている。
【００５３】
複数の通孔７４は、所定のピッチで設けられた丸孔で構成されるが、孔の形状はこれに限られず、例えば角孔で構成されてもよい。本実施形態においてガード部材７は、パンチメタルで構成される。ガード部材７を構成する金属材料は特に限定されず、本実施形態ではアルミニウム合金が採用される。これによりガード部材７の軽量化を図ることができる。ガード部材７の表面には防錆のためのメッキ処理が施されてもよい。
【００５４】
ガード部材７は、筐体１０の第２の面１１２に固定される。本実施形態では、側周面７２の所定位置に設けられた複数の取付片７５を介して、ガード部材７が筐体１０にネジ固定される。ガード部材７は、放熱器５とは非接触で、筐体１０に固定される。
【００５５】
ガード部材７は、筐体１０と端子ユニット６との間に配置される。ガード部材７の背面７３の略中央部には、端子ユニット６の連結パイプ６１が挿通可能な矩形の開口部７３ａが設けられている。
【００５６】
（端子ユニット）
端子ユニット６は、本体部６０と、連結パイプ６１とを有する。本体部６０は、ガード部材７の外側に配置され、図７に示すように、金属製の連結パイプ６１および補助プレート６２を介して筐体１０の第２の面１１２に接続される。
【００５７】
本体部６０は、外部電源（商用電源）に接続され、光学ユニット２０を構成する複数の発光デバイス２１へ必要な電力を供給する。連結パイプ６１は、ガード部材７の内部空間７１および背面７３の開口部７３ａを貫通し、筐体１０の第２の面１１２と本体部６０との間に接続される。
【００５８】
一方、筐体１０の中心部には連結パイプ６１の内部と連通する貫通孔１１３が形成されており、これら貫通孔１１３と連結パイプ６１の内部を介して、各発光デバイス２１に配線ケーブルが本体部６０の内部に配置された端子盤と電気的に接続されている。これにより配光特性を損なうことなく、各発光デバイス２１と本体部６０との電気的接続を実現することができる。
【００５９】
［投光照明装置の動作］
以上のように構成される本実施形態の投光照明装置１００において、光学ユニット２０を構成する複数の発光デバイス２１は各々同時に点灯される。各発光デバイス２１において、ＬＥＤ基板２２上の複数のＬＥＤ２２１から出射した光は、対向するレンズ基板２３の複数のレンズ部２３１によって集光され、カバー１を透過して所定の照射領域へ照射される。
【００６０】
図１１Ｃに示すように、各々のＬＥＤ２２１から出射した光は、それぞれ、レンズ部２３１の頂部２３１ａ（凹面部Ｐ１）からレンズ部２３１の内部に進入し、光出射面２３１ｂから外気へ出射する。光出射面２３１ｂからの出射光Ｌは、正面方向（＋Ｙ方向）へ向かう出射光Ｌ１と、正面方向に対してやや斜め方向に向かう出射光Ｌ２とを含む。出射光Ｌ１は、主として、側周面２３１ｃで全反射した光と、有底孔２３１ｄの底部（凸面部Ｐ２）を透過した光とを含む。一方、出射光Ｌ２は、主として、頂部２３１ａからから直線的に光出射面２３１ｂに到達した光で構成される。
【００６１】
光出射面２３１ｂから出射される光の配光分布は、主に側周面２３１ｃの断面形状で調整され、これにより所望とする配光制御を実現する。本実施形態では、出射光Ｌ２の光量よりも出射光Ｌ１の光量が多く、かつ、光出射面２３１ｂからの出射光Ｌ２の出射角（光出射面２３１ｂの法線と出射光Ｌ２とのなす角）が所定以下となるようにレンズ部２３１の形状が最適化される。これにより正面方向への出射光量を高めつつ、所定の狭角範囲に十分な光量の光を出射することが可能となる。
【００６２】
本実施形態では、ＬＥＤ基板２２の複数のＬＥＤ２２１とレンズ基板２３の複数のレンズ部２３１とが個々に対応して設けられているため、レンズ基板２３の面内において均一な光を出射することができる。また光学ユニット２０が複数の発光デバイス２１を組み合わせて構成されるため、所望の口径を有する投光照明装置を容易に構成することができる。
【００６３】
一方、放熱器５は、光学ユニット２０の上記動作を安定に維持するために、光学ユニット２０の所定温度以下に冷却する。このため放熱器５は、１００℃以上の高温になる場合がある。
【００６４】
本実施形態の投光照明装置１００においては、放熱器５は、ガード部材７の内部に配置されている。このため放熱器５は、ガード部材７によって、強風時における飛来物との衝突から保護される。これにより放熱器５の損傷に起因する放熱特性の低下が防止される。
【００６５】
また、放熱器５は、ガード部材７によって、風船等の浮遊物との接触から保護される。これにより放熱器５との接触による風船の溶解およびその溶解物の付着が回避されるため、放熱器５の所期の放熱特性が維持される。なお、ガード部材７の表面は放熱器５よりも低温（例えば６０℃前後）であるため、ガード部材７との接触により風船が溶解するおそれはない。
【００６６】
以上のように本実施形態によれば、ガード部材７によって、飛来物や浮遊物の接触等による損傷あるいは汚損から放熱器５を保護することができる。また、ガード部材７には通孔７４が設けられているため、通孔７４を介して放熱器５を外気と連通させることができる。したがって本実施形態の投光照明装置１００によれば、放熱器５の所期の放熱特性を長期にわたり維持でき、光学ユニット２０の安定した発光動作を確保することができる。
【００６７】
また、端子ユニット６の本体部６０がガード部材７の外側に配置されているため、本体部６０と商用電源との接続がガード部材７で阻害されることを防止することができる。
【００６８】
しかも本実施形態によれば、端子ユニット６は、その本体部６０がガード部材７を貫通する連結パイプ６１を介して筐体１０と接続されるように構成されている。このため、例えば取付片７５における固定に不具合が生じてガード部材７が筐体１０から外れた場合においても、連結パイプ６１によって筐体１０からのガード部材７の脱落を防止することが可能となる。
【００６９】
さらに本実施形態の投光照明装置１００によれば、筐体１０およびガード部材７が多角形状に形成されているため、当該投光照明装置１００を上下左右方向に効率よく複数台配列することが可能となる。
【００７０】
以上、本発明の実施形態について説明したが、本発明は上述の実施形態にのみ限定されるものではなく、本発明の要旨を逸脱しない範囲内において種々変更を加え得ることは勿論である。
【００７１】
例えば以上の実施形態では、ガード部材７はパンチメタルで構成されたが、これに限られず、例えば、網状あるいは格子状の部材で構成されてもよい。またガード部材７は、多角形状の箱体で構成される例に限られず、円筒形状であってもよいし、ドーム形状であってもよい。
【００７２】
また以上の実施形態では、６個の発光デバイス２１を環状に配列して六角形状の光学ユニット２０を構成したが、これに代えて、８個の発光デバイスを環状に配列して八角形状の光学ユニットを構成してもよい。また発光デバイス２１の形状は三角形状に限られず、矩形状等の他の多角形状であってもよく、配列形態も環状の場合に限られない。
【００７３】
さらに以上の実施形態では、狭角配光照明に適した投光照明装置を例に挙げて説明したが、例えば、ビームの開きが３０°以上６０°未満の中角配光照明やそれ以上の広角配光照明用の投光照明装置にも本発明は適用可能である。出射光の配光分布は、例えば、レンズ基板２３の各々のレンズ部２３１の形状によって任意に調整可能である。
【００７４】
そして以上の実施形態では、発光素子としてＬＥＤを例に挙げて説明したが、これに限られず、例えば有機ＥＬ素子や無機ＥＬ素子等の他の発光素子が用いられてもよい。
【符号の説明】
【００７５】
５…放熱器
６…端子ユニット
７…ガード部材
１０…筐体
２０…光学ユニット
２１…発光デバイス
２２…ＬＥＤ基板
２３…レンズ基板
６０…本体部
６１…連結パイプ
７１…内部空間
７２…側周面
７３…背面
１００…投光照明装置
２２１…ＬＥＤ
【図１】
2015144041.tif 000003
【図２】
2015144041.tif 000004
【図３】
2015144041.tif 000005
【図４】
2015144041.tif 000006
【図５】
2015144041.tif 000007
【図６】
2015144041.tif 000008
【図７】
2015144041.tif 000009
【図８】
2015144041.tif 000010
【図９】
2015144041.tif 000011
【図１０】
2015144041.tif 000012
【図１１】
2015144041.tif 000013
【図１２】
2015144041.tif 000014